(57)【特許請求の範囲】
【請求項１】
前面が開放するモジュールケースと、
前記ケース内に設けられた光源と、
前記ケースの前面に配置された電気光学表示パネルと、
前記ケースの背面側に配置された回路基板と、
一端を前記表示パネルに接続され、前記ケースの端部を外側から抱えるように屈曲されて他端を前記回路基板に接続されたフレキシブル配線板と、
感温素子とこの感温素子から導出されたリードとを有し、そのリード端を前記回路基板に接続され、感温素子側を前記回路基板の外方に突出させて配置されたリード付きサーミスタとを備え、
前記ケースの背面に、前記サーミスタの感温素子側の所定箇所に対応するサーミスタ支持部が突設され、
前記フレキシブル配線板に、前記サーミスタ支持部に対応するサーミスタ挿通孔が穿設され、
前記サーミスタの感温素子側が、前記サーミスタ挿通孔に挿通され、この感温素子側の所定箇所を前記フレキシブル配線板により前記サーミスタ支持部に押し付け固定されていることを特徴とする表示モジュール。
【請求項２】
フレキシブル配線板は、モジュールケースの背面に設けられたサーミスタ支持部に対応する領域の付近において前記ケースにビスにより固定されていることを特徴とする請求項１に記載の表示モジュール。
【請求項３】
モジュールケースの背面に設けられたサーミスタ支持部は、フレキシブル配線板の前記サーミスタ支持部に対応する領域のほぼ全幅にわたる長さに形成されていることを特徴とする請求項１または２に記載の表示モジュール。
【発明の詳細な説明】
【０００１】
【発明の属する技術分野】
この発明は、リード付きサーミスタを備えた表示モジュールに関するものである。
【０００２】
【従来の技術】
例えばノート型パソコン、薄型テレビ、電子手帳、電子腕時計、電卓、携帯電話機、モニタ付きビデオカメラ等の電子機器に搭載される表示モジュールは、一般に、前面が開放するモジュールケース内に光源を設け、前記ケースの前面に液晶表示パネル等の電気光学表示パネルを配置するとともに、前記ケースの背面側に回路基板を配置し、この回路基板と前記表示パネルとをフレキシブル配線板により接続した構成となっている。
【０００３】
この表示モジュールにおいては、前記モジュールケース内に設けられた光源が発生する熱によりモジュール全体が昇温し、その影響により前記表示パネルの表示特性が変化するため、モジュールの温度をサーミスタにより測定し、その測定温度に応じて前記表示パネルの駆動条件を補正することにより、前記表示パネルの表示特性の変化を補償するようにしている。
【０００４】
前記サーミスタとしては、感温素子の一面に端子電極を設けたチップ型サーミスタと、感温素子とこの感温素子から導出されたリードとからなるリード付きサーミスタとがあり、前記チップ型サーミスタは、前記回路基板上に取付けられている。
【０００５】
しかし、前記回路基板に取付けられたチップ型サーミスタが測定する温度は前記回路基板の温度であり、前記回路基板の温度変化は必ずしも前記表示パネルの温度変化に対応しないため、前記チップ型サーミスタでは、前記表示パネルの温度変化に追従した温度測定は難しい。
【０００６】
一方、前記リード付きサーミスタは、そのリード端を回路基板に接続し、感温素子側を前記回路基板の外方に突出させて配置することができるため、前記感温素子を前記表示パネルの温度に対応して温度が変化する領域に対応させることにより、前記表示パネルの温度変化に追従した温度測定を行なうことができる。
【０００７】
しかし、このリード付きサーミスタは、そのリード端は前記回路基板に固定されるが、感温素子側は自由端であるため、前記リードが何らかの原因により曲がり変形すると、前記感温素子の位置がずれ、測定温度が狂ってしまう。
【０００８】
そのため、従来は、前記リード付きサーミスタの感温素子側を、粘着テープにより前記フレキシブル配線板等に貼付け固定し、前記感温素子の位置ずれを防いでいる。
【０００９】
【発明が解決しようとする課題】
しかしながら、上記のようにリード付きサーミスタの感温素子側を粘着テープにより貼付け固定している従来の表示モジュールは、前記粘着テープ貼付けが面倒で、前記サーミスタの感温素子側を作業性良く固定することができない。
【００１０】
また、前記従来の表示モジュールは、そのリペアなどに際して前記サーミスタの感温素子側の固定を解除するのに前記粘着テープを剥ぎ取らなければならないため、前記サーミスタの感温素子側の固定解除も作業性良く行なうことができず、しかも、前記粘着テープを剥ぎ取るときに、前記サーミスタのリードを損傷したり、前記サーミスタの感温素子側を貼付け固定した前記フレキシブル配線板等を損傷したりする、二次不良の発生のおそれもある。
【００１１】
この発明は、リード付きサーミスタを備えた表示モジュールとして、前記サーミスタの感温素子側の固定やその解除を作業性良く行なうことができるとともに、前記サーミスタの感温素子側の固定を解除する際に二次不良を発生させることがないものを提供することを目的としたものである。
【００１２】
【課題を解決するための手段】
この発明の表示モジュールは、前面が開放するモジュールケースと、前記ケース内に設けられた光源と、前記ケースの前面に配置された電気光学表示パネルと、前記ケースの背面側に配置された回路基板と、一端を前記表示パネルに接続され、前記ケースの端部を外側から抱えるように屈曲されて他端を前記回路基板に接続されたフレキシブル配線板と、感温素子とこの感温素子から導出されたリードとを有し、そのリード端を前記回路基板に接続され、感温素子側を前記回路基板の外方に突出させて配置されたリード付きサーミスタとを備え、前記ケースの背面に、前記サーミスタの感温素子側の所定箇所に対応するサーミスタ支持部が突設され、前記フレキシブル配線板に、前記サーミスタ支持部に対応するサーミスタ挿通孔が穿設され、前記サーミスタの感温素子側が、前記サーミスタ挿通孔に挿通され、この感温素子側の所定箇所を前記フレキシブル配線板により前記サーミスタ支持部に押し付け固定されていることを特徴とするものである。
【００１３】
すなわち、この表示モジュールは、モジュールケースの背面側に配置された回路基板にリード端を接続されたリード付きサーミスタの感温素子側を、前記回路基板と前記ケースの前面に配置された表示パネルとを接続するフレキシブル配線板を利用して固定するようにしたものである。
【００１４】
この表示モジュールによれば、前記サーミスタの感温素子側を前記フレキシブル配線板に穿設されたサーミスタ挿通孔に挿通し、この感温素子側の所定箇所を前記フレキシブル配線板により前記ケースの背面に突設されたサーミスタ支持部に押し付けることにより、前記サーミスタの感温素子側を固定することができ、また、前記サーミスタの感温素子側を前記フレキシブル配線板のサーミスタ挿通孔から抜き出すことにより、その固定を解除することができるため、前記サーミスタの感温素子側の固定やその解除を作業性良く行なうことができる。
【００１５】
しかも、この表示モジュールは、前記サーミスタの感温素子側を、前記フレキシブル配線板により前記ケースの背面に設けられたサーミスタ支持部に押し付け固定したものであるため、リード付きサーミスタの感温素子側を粘着テープにより貼り付け固定している従来の表示モジュールのように、前記粘着テープを剥ぎ取るときに、前記サーミスタのリードの損傷や、前記サーミスタの感温素子側を貼付け固定したフレキシブル配線板等の損傷などの二次不良を発生することはない。
【００１６】
【発明の実施の形態】
この発明の表示モジュールは、上記のように、モジュールケースの背面に、リード付きサーミスタの感温素子側の所定箇所に対応するサーミスタ支持部を突設するとともに、前記ケースの背面側に配置される回路基板と前記ケースの前面に配置される表示パネルとを接続するフレキシブル配線板に、前記サーミスタ支持部に対応するサーミスタ挿通孔を穿設し、前記回路基板にリード端を接続された前記サーミスタの感温素子側を、前記サーミスタ挿通孔に挿通して前記フレキシブル配線板により前記サーミスタ支持部に押し付け固定することにより、前記サーミスタの感温素子側の固定やその解除を作業性良く行なうことができるとともに、前記サーミスタの感温素子側の固定を解除する際に二次不良を発生させることがないようにしたものである。
【００１７】
この発明の表示モジュールにおいて、前記キシブル配線板は、前記サーミスタ支持部に対応する領域の付近において前記ケースにビスにより固定するのが好ましく、このようにすることにより、前記キシブル配線板を前記サーミスタ支持部に強く押し付け、前記サーミスタの感温素子側を、より確実に固定することができる。
【００１８】
また、前記サーミスタ支持部は、前記フレキシブル配線板の前記サーミスタ支持部に対応する領域のほぼ全幅にわたる長さに形成するのが好ましく、このようにすることにより、前記サーミスタ支持部への前記フレキシブル配線板の押し付け力を前記フレキシブル配線板のほぼ全幅に均等に分散させ、前記フレキシブル配線板に局部的なストレスがかからないようにすることができる。
【００１９】
【実施例】
図１〜図４はこの発明の一実施例を示しており、図１および図２は表示モジュールの側面図および背面図、図３は図２のIII−III線に沿う拡大断面図である。
【００２０】
この実施例の表示モジュールは、電気光学表示パネルとして液晶表示パネルを用いたものであり、図１〜図３のように、モジュールケース１と、前記ケース１内に設けられた光源４と、前記ケース１の前面（図１において上面）に配置された液晶表示パネル６と、前記ケース１の背面側に配置された回路基板１０と、前記表示パネル６と回路基板１０とを接続するフレキシブル配線板１４と、モジュール温度を測定するためのサーミスタ１７とを備えている。
【００２１】
前記ジュールケース１は、前面が開放する薄箱形状の樹脂ケースであり、その両側の壁部の上端面（表示パネル６の配置面）には、前記光源４が発生する熱を外部に放出するための放熱用凹部２が形成されている。
【００２２】
また、このケース１の背面の一端縁部は、ケース端面に向かってケース前面方向に傾斜するテーパー面１ａに形成されており、さらに、このケース１の背面の前記テーパー面１ａより若干ケース中央方向に片寄った位置に、ケース幅方向に沿う突起状のサーミスタ支持部３が一体に突設されている。
【００２３】
前記光源４は、例えば、両端に屈曲可能なリード線５ａを有する２本のＵ型蛍光ランプ（冷陰極管）５からなっており、この２本のＵ型蛍光ランプ５は、前記ケース１内に、その屈曲端を前記ケース１の一端側に向け、リード導出端を前記ケース１の他端側に向けた状態で、横に並べて配置されている。
【００２４】
また、前記表示パネル６は、例えばＴＮ（ツイステッドネマティック）型の液晶表示パネルであり、その内部構造は図示しないが、枠状のシール材９を介して接合された前後一対の透明基板７，８の内面にそれぞれ透明な電極を設けるとともに、前記基板７，８間の前記シール材９で囲まれた領域に、液晶分子がツイスト配向した液晶層を設け、前記一対の基板７，８の外面にそれぞれ偏光板（図示せず）を配置した構成となっている。
【００２５】
この表示パネル６は、前記一対の基板７，８のうちの一方の基板（図では前基板）７の一端縁部を他方の基板８の外側に突出させて形成された端子配列部７ａを有しており、この端子配列部７ａに、前記一対の基板７，８の内面にそれぞれ設けられた前記電極に信号を供給するための端子電極（図示せず）が配列形成されている。
【００２６】
なお、前記ケース１は、前記表示パネル６とほぼ同じ幅と長さを有しており、前記表示パネル６は、前記ケース１の前面にその開放面を覆って配置され、図示しない固定部材により固定されている。
【００２７】
一方、前記回路基板１０には、図示しないが、前記サーミスタにより温度を測定する温度測定回路、外部から供給される表示データに応じて前記表示パネル６の駆動制御信号を出力するとともに前記温度測定回路の測定温度値に応じて前記駆動制御信号を補正する表示駆動制御回路、外部から供給される光源点灯信号により前記ケース１内に設けられた２本のＵ型蛍光ランプ５を点灯駆動する光源駆動回路と、これらの回路に電源電圧を供給する電源回路等が形成されている。
【００２８】
また、この回路基板１０には、その一端縁の所定箇所に、内部に複数の端子を備えたフレキシブル配線板接続用ソケット１１が設けられ、前記一端縁の近傍の所定箇所に、サーミスタ接続電極１２が設けられるとともに、他端縁に、前記２本のＵ型蛍光ランプ５の両端のリード線５ａにそれぞれ対応する光源接続電極１３が設けられており、前記ソケット１１内の複数の端子は前記表示駆動制御回路に接続され、前記サーミスタ接続電極１２は前記温度測定回路に接続され、光源接続電極１３は前記光源駆動回路に接続されている。
【００２９】
この回路基板１０は、その幅が前記ケース１の幅とほぼ同じで、長さが前記ケース１の長さよりも短い面積を有しており、前記ソケット１１およびサーミスタ接続電極１２が設けられた端部を前記ケース１の一端よりもケース中央方向に片寄った位置に対応させ、前記光源接続電極１３が設けられた端部を前記ケースの他端付近に対応させて前記ケース１の背面側に配置され、図示しない固定手段により固定されている。
【００３０】
そして、前記ケース１内に設けられた前記２本のＵ型蛍光ランプ５の両端のリード線５ａは、前記ケース１の底板部に設けられた図示しないリード挿通孔を通して前記ケース１の背面側に導出され、前記回路基板１０の光源接続電極１３に接続されている。
【００３１】
また、前記フレキシブル配線板１４は、前記表示パネル６に接続される一端側が幅広（表示パネル６の端子配列部７ａに対応する幅）に形成され、前記回路基板１０に接続される他端側に、前記フレキシブル配線板接続用ソケット１２に差込み接続される帯状突出部１４ａが形成された形状をなしており、その幅広部に、前記回路基板１０の表示駆動制御回路から供給される制御信号に応じて前記表示パネル６の表示駆動信号を出力する複数の駆動回路素子（例えばＬＳＩ）１５が取付けられている。
【００３２】
なお、図では省略しているが、前記フレキシブル配線板１４には、前記複数の駆動回路素子１５の複数の入力側端子にそれぞれ接続された複数の入力側配線と、前記複数の駆動回路素子１５の複数の出力側端子にそれぞれ接続された複数の出力側配線とが設けられており、前記複数の入力側配線は、前記帯状突出部１４ａの先端、つまり前記フレキシブル配線板接続用ソケット１１への差込み端に、前記ソケット１１内の複数の端子にそれぞれ対応させて導出形成され、前記複数の出力側配線は、前記表示パネル６に接続される一端縁部に、前記表示パネル６の端子配列部７ａに配列形成された図示しない端子電極にそれぞれ対応させて導出形成されている。
【００３３】
前記フレキシブル配線板１４は、その一端を前記表示パネル６の端子配列部７ａに図示しない異方導電性接着剤により接続されるとともに、前記ケース１の一端部を外側から抱えるように屈曲されて、他端側の帯状突出部１４ａの先端を、前記回路基板１０のフレキシブル配線板接続用ソケット１１に差込み接続されている。
【００３４】
さらに、前記フレキシブル配線板１４の幅広部は、前記ケース１の一端部を外側から抱えるように屈曲させたときに、少なくとも前記ケース１の背面に突設されたサーミスタ支持部３よりも前記回路基板１０側に突出する長さに形成されており、この幅広部に、前記サーミスタ支持部３に対応させて、フレキシブル配線板１４の幅方向に沿うスリット状のサーミスタ挿通孔１６が穿設されている。
【００３５】
前記サーミスタ１７は、半導体からなる薄膜状の感温素子１８とこの感温素子１８から導出されたリード１９とを有するリード付きサーミスタであり、前記リード１９は、図２に示したように、樹脂フィルム１９ａ面に一対のリード線１９ｂを、その先端部を前記樹脂フィルム１９ａの外側に突出させて形成したフレキシブルリードからなっている。
【００３６】
このリード付きサーミスタ１７は、そのフレキシブルリード１９の先端（リード線１９ｂの突出端）を前記回路基板１０のサーミスタ接続電極１２にハンダ付け接続されるとともに、感温素子１８側を前記回路基板１０の外方に突出させることにより、前記感温素子１８を前記サーミスタ支持部３よりもケース１の端部側に位置させた状態で配置されている。
【００３７】
なお、前記ケース１の端部付近は、前記表示パネル６の温度に対応して温度が変化する領域であり、したがって、前記サーミスタ１７の感温素子１８を前記サーミスタ支持部３よりもケース１の端部側に位置させることにより、前記表示パネル６の温度変化に追従した温度測定を行なうことができる。
【００３８】
そして、前記サーミスタ１７の感温素子１８側は、前記ケース１の背面と前記フレキシブル配線板１４の幅広部との間の隙間を通して前記フレキシブル配線板１４に穿設されたサーミスタ挿通孔１６に挿通されており、前記感温素子１８を前記サーミスタ挿通孔１６から前記フレキシブル配線板１４の外側に突出させた状態で、この感温素子１８側の所定箇所を、前記フレキシブル配線板１４により前記サーミスタ支持部３に押し付け固定されている。
【００３９】
すなわち、前記サーミスタ１７の感温素子１８側は、その所定箇所を前記サーミスタ支持部３により支持されるとともに、前記フレキシブル配線板１４の幅広部のうちの前記サーミスタ挿通孔１６から回路基板１０側の端縁までの間の部分により、前記サーミスタ支持部３に押し付け固定されている。
【００４０】
なお、この実施例では、図のように、前記サーミスタ１７の感温素子１８側を、前記リード１９の感温素子１８への付け根部付近において前記サーミスタ支持部３に押し付け固定しており、したがって、前記感温素子１８の位置ずれを効果的に防止することができる。
【００４１】
また、この実施例では、前記フレキシブル配線板１４の幅広部の両側縁部を、前記サーミスタ支持部３に対応する領域の付近、例えば前記ケース１の背面のテーパー面１ａに支持される部分において、前記ケース１にビス２０により固定することにより、前記キシブル配線板１４のビス止め部から回路基板接続側の部分を緊張させ、前記フレキシブル配線板１４を前記サーミスタ支持部３に強く押し付けて、前記サーミスタ１７の感温素子１８側を、より確実に前記サーミスタ支持部３に押し付け固定するようにしている。
【００４２】
さらに、この実施例では、前記ケース１の背面に突設されたサーミスタ支持部３を、前記フレキシブル配線板１４の前記サーミスタ支持部３に対応する領域のほぼ全幅にわたる長さ（この実施例ではケース１の全幅にわたる長さ）に形成し、前記サーミスタ支持部３への前記フレキシブル配線板１４の押し付け力を前記フレキシブル配線板１４のほぼ全幅に均等に分散させて、前記フレキシブル配線板に局部的なストレスがかからないようにしている。
【００４３】
なお、図１では前記フレキシブル配線板１４をその全体にわたって均等な厚さに示しているが、前記フレキシブル配線板１４は、図３のように、前記サーミスタ支持部３に対応する部分を湾曲変形しやすくするため、その部分の厚さをフレキシブル配線板１４の全幅にわたって薄くし、その薄厚部に前記サーミスタ挿通孔１６を穿設したものであり、このフレキシブル配線板１４は、例えば、前記薄厚部を除く領域を二層膜としたフィルム積層板からなっている。
【００４４】
図４は、前記サーミスタ１７の感温素子１８側の固定方法を示しており、前記サーミスタ１７の感温素子１８側は、前記フレキシブル配線板１４の帯状突出部１４ａを回路基板１０接続する前に、前記フレキシブル配線板１４のサーミスタ挿通孔１６に挿通され、その後に前記フレキシブル配線板１４の帯状突出部１４ａを回路基板１０のフレキシブル配線板接続用ソケット１１に差込み接続するとともに、前記フレキシブル配線板１４前記ケース１にビス２０により固定することにより、このフレキシブル配線板１４によって前記サーミスタ支持部３に押し付け固定される。
【００４５】
すなわち、この表示モジュールは、モジュールケース１の背面側に配置された回路基板１０にリード端を接続されたリード付きサーミスタ１７の感温素子１８側を、前記回路基板１０と前記ケース１の前面に配置された表示パネル６とを接続するフレキシブル配線板１４を利用して固定するようにしたものであり、この表示モジュールによれば、前記サーミスタ１７の感温素子１８側を前記フレキシブル配線板１４に穿設されたサーミスタ挿通孔１６に挿通し、この感温素子１８側の所定箇所を前記フレキシブル配線板１４により前記ケース１の背面に突設されたサーミスタ支持部３に押し付けることにより、前記サーミスタ１７の感温素子１８側を作業性良く固定することができる。
【００４６】
また、この表示モジュールによれば、前記サーミスタ１７の感温素子１８側を前記フレキシブル配線板１４のサーミスタ挿通孔１６から抜き出すことにより、前記サーミスタ１７の感温素子１８側の固定を解除することができるため、前記サーミスタの感温素子側の固定解除を作業性良く行なうことができる。
【００４７】
しかも、この表示モジュールは、前記サーミスタ１７の感温素子１８側を、前記フレキシブル配線板１４により前記ケース１の背面に設けられたサーミスタ支持部３に押し付け固定したものであるため、リード付きサーミスタの感温素子側を粘着テープにより貼り付け固定している従来の表示モジュールのように、前記粘着テープを剥ぎ取るときに、前記サーミスタのリードの損傷や、前記サーミスタの感温素子側を貼付け固定したフレキシブル配線板等の損傷などの二次不良を発生することはない。
【００４８】
また、上記実施例の表示モジュールにおいては、前記キシブル配線板１４を、前記サーミスタ支持部３に対応する領域の付近において前記ケース１にビス２０により固定しているため、前記キシブル配線板１４を前記サーミスタ支持部３に強く押し付け、前記サーミスタ１７の感温素子１８側を、より確実に固定することができる。
【００４９】
さらに、上記実施例では、前記サーミスタ支持部３を、前記フレキシブル配線板１４の前記サーミスタ支持部３に対応する領域のほぼ全幅にわたる長さに形成しているため、前記サーミスタ支持部３への前記フレキシブル配線板１４の押し付け力を前記フレキシブル配線板１４のほぼ全幅に均等に分散させ、前記フレキシブル配線板１４に局部的なストレスがかからないようにすることができる。
【００５０】
なお、上記実施例で用いたリード付きサーミスタ１７は、樹脂フィルム１９ａ面にリード線１９ｂを形成したフレキシブルリード１９を有するものであるが、前記サーミスタ１７のリードは金属線からなるものでもよい。
【００５１】
また、上記実施例では、前記フレキシブル配線板１４を一枚の連続した配線板としているが、このフレキシブル配線板１４は、２枚の配線板を接続したものでもよく、また、前記駆動回路素子１５は、前記フレキシブル配線板１４に設ける代わりに前記表示パネル６の端子配列部７ａに搭載してもよい。
【００５２】
さらに、上記実施例の表示モジュールは、電気光学表示パネルとして液晶表示パネル６を用いたものであるが、前記電気光学表示パネルは、液晶表示パネルに限らず、電気泳動やエレクロトルミネセンス等の電気光学物質を用いたものでもよい。
【００５３】
【発明の効果】
この発明の表示モジュールは、モジュールケースの背面に、リード付きサーミスタの感温素子側の所定箇所に対応するサーミスタ支持部を突設するとともに、前記ケースの背面側に配置される回路基板と前記ケースの前面に配置される表示パネルとを接続するフレキシブル配線板に、前記サーミスタ支持部に対応するサーミスタ挿通孔を穿設し、前記回路基板にリード端を接続された前記サーミスタの感温素子側を、前記サーミスタ挿通孔に挿通して前記フレキシブル配線板により前記サーミスタ支持部に押し付け固定したものであるため、前記サーミスタの感温素子側の固定やその解除を作業性良く行なうことができるとともに、前記サーミスタの感温素子側の固定を解除する際に二次不良を発生させることがない。
【００５４】
この発明の表示モジュールにおいて、前記キシブル配線板は、前記サーミスタ支持部に対応する領域の付近において前記ケースにビスにより固定するのが好ましく、このようにすることにより、前記キシブル配線板を前記サーミスタ支持部に強く押し付け、前記サーミスタの感温素子側を、より確実に固定することができる。
【００５５】
また、前記サーミスタ支持部は、前記フレキシブル配線板の前記サーミスタ支持部に対応する領域のほぼ全幅にわたる長さに形成するのが好ましく、このようにすることにより、前記サーミスタ支持部への前記フレキシブル配線板の押し付け力を前記フレキシブル配線板のほぼ全幅に均等に分散させ、前記フレキシブル配線板に局部的なストレスがかからないようにすることができる。
【図面の簡単な説明】
【図１】この発明の一実施例を示す表示モジュールの側面図。
【図２】前記表示モジュールの背面図。
【図３】図２のIII−III線に沿う拡大断面図。
【図４】前記表示モジュールにおけるサーミスタの感温素子側の固定方法を示す図。
【符号の説明】
１…モジュールケース
３…サーミスタ支持部
４…光源
６…表示パネル
１０…回路基板
１４…フレキシブル配線板
１５…駆動回路素子
１６…サーミスタ挿通孔
１７…リード付きサーミスタ
１８…感温素子
１９…リード
２０…ビス
【図１】
0003664047.tif 000002
【図２】
0003664047.tif 000003
【図３】
0003664047.tif 000004
【図４】
0003664047.tif 000005